(57)【要約】  【課題】  本発明は、直飲み式の利点である手軽に飲用が可能であるという利点を活かしつつ、複数人で共有できる携帯飲料容器の提供を目的とする。  【解決手段】  内部の飲料を直に飲むための飲み口部２３を上端に有した、直飲み式の携帯飲料容器１１、２７、２９、３７、５０であって、上記飲み口部２３に対して着脱可能に取り付ける着脱式飲み口部材１３、３４（、５１）を設けるとともに、該着脱式飲み口部材１３、３４（、５１）を取り付けた状態の上記飲み口部２３を包囲可能な蓋体１４、２８、３９、５４を設けた携帯飲料容器１１、２７、２９、３７、５０。  【選択図】    図１
2005239178.tif 000002
【特許請求の範囲】
【請求項１】
内部の飲料を直に飲むための飲み口部を上端に有した、直飲み式の携帯飲料容器であって、
上記飲み口部に対して着脱可能に取り付ける着脱式飲み口部材を設けるとともに、該着脱式飲み口部材を取り付けた状態の上記飲み口部を包囲可能な蓋体を設けた
携帯飲料容器。
【請求項２】
前記着脱式飲み口部材を、前記飲み口部の外周側で嵌合する筒状に形成した
請求項１に記載の携帯飲料容器。
【請求項３】
前記蓋体の内側の天井面に、前記飲み口部から飲料が流出することを防止すべく飲み口部の開口縁に当接する当接部を有した止水用突起を形成した
請求項１、又は請求項２に記載の携帯飲料容器。
【請求項４】
前記飲み口部に取り付けた着脱式飲み口部材と前記蓋体との相互間に、これらを係合・分離する係脱手段を設け、
上記着脱式飲み口部材を上記蓋体の着脱に従属して着脱可能に構成した
請求項１、請求項２、又は請求項３に記載の携帯飲料容器。
【請求項５】
前記着脱式飲み口部材に対して着脱可能に取り付ける補助用飲み口部材を備えた
請求項１から請求項４のいずれか一項に記載の携帯飲料容器。
【請求項６】
前記蓋体に、少なくとも１つの前記補助用飲み口部材を収容可能な飲み口部材収容部を形成した
請求項５に記載の携帯飲料容器。
【発明の詳細な説明】
【技術分野】
【０００１】
この発明は、水やお茶など各種の飲料を入れておく携帯型の携帯飲料容器に関する。
【背景技術】
【０００２】
このような携帯飲料容器には、大きく２つのタイプがある。ひとつは、内部の飲料を飲むコップや、コップとして利用できる蓋を備えたもので、容器を傾けてコップや蓋に飲料を注いでから飲むものである。他のひとつは、容器の上端部に形成したひとつの飲み口に直接口を付けて飲む直飲み式のものである。
【０００３】
前者の容器では、液体を注ぎ出してから間接的に飲むので、ピクニックやハイキング等に出かけた時にひとつの容器の飲料を複数人で飲むことにさしたる抵抗はない。このため、飲料を共用できることによる利点があった。
【０００４】
しかし、後者の容器では、飲料を飲むのに唯一の飲み口に直接口を付けて飲むので、複数人で飲むことに大きな抵抗がある。このため、ピクニックやハイキング等で誰かが飲料を忘れたり、飲み干してしまって足りなかったりした時に対応できないなど、不便なことがあった。
【０００５】
従来、注ぎ出し式と直飲み式とを選択できるようにしたもの（特許文献１参照）が提案されていた。しかしこれは、上述のような不便な点を解消する一助にはなるものの、部品点数は多く、飲むための手順も多いという難点がある。いわば、直飲み式の利点を減殺してしまうものであった。
【０００６】
【特許文献１】特開平９−３１３３６３号公報
【発明の開示】
【発明が解決しようとする課題】
【０００７】
そこで本発明では、直飲み式の利点である手軽に飲用が可能であるという利点を活かしつつ、複数人で共有できる携帯飲料容器の提供を目的とする。
【課題を解決するための手段】
【０００８】
本発明の携帯飲料容器は、内部の飲料を直に飲むための飲み口部を上端に有した直飲み式の携帯飲料容器であって、上記飲み口部に対して着脱可能に取り付ける着脱式飲み口部材を設けるとともに、該着脱式飲み口部材を取り付けた状態の上記飲み口部を包囲可能な蓋体を設けたことを特徴とする。
【０００９】
上記着脱式飲み口部材は、飲み口部に対して螺合、嵌合などにより着脱可能な構成を採ることができる。
【００１０】
上記着脱式飲み口部材を上記飲み口部に対して、嵌合により着脱可能な構成とすれば、上記飲み口部に対して抜き差しするだけで容易に着脱することができる。
【００１１】
好ましくは、上記着脱式飲み口部材を、上記飲み口部の外周側で嵌合する筒状に形成するとよい。
【００１２】
また、上記携帯飲料容器は、上記蓋体の内側の天井面に、上記飲み口部から飲料が流出することを防止すべく飲み口部の開口縁に当接する当接部を有した止水用突起を形成するとよい。
【００１３】
着脱式飲み口部材を付け忘れたり、紛失したりしても蓋体を取り付ければ内部の飲料が流出することはない。
【００１４】
さらに、上記携帯飲料容器を上記飲み口部に取り付けた着脱式飲み口部材と上記蓋体との相互間に、これらを係合・分離する係脱手段を設け、上記着脱式飲み口部材を上記蓋体の着脱に従属して着脱可能に構成することができる。
【００１５】
上記構成を採れば、着脱式飲み口部材を飲み口とする場合は、上記係脱手段により、着脱式飲み口部材と上記蓋体とを分離させて蓋体を取り外せば、着脱式飲み口部材を飲み口部に取り付けた状態とすることができる。よって、使用者は、着脱式飲み口部材から直に飲料を飲むことができる。
【００１６】
これに対して、飲み口部を飲み口とする場合は、上記係脱手段により、着脱式飲み口部材と上記蓋体とを係合させて蓋体を取り外せば、上記着脱式飲み口部材を上記蓋体の着脱に従属させて、飲み口部から取り外した状態とすることができる。よって、使用者は飲み口部から直に飲料を飲むことができる。
【００１７】
携帯飲料容器に、上記着脱式飲み口部材に対して着脱可能に取り付ける補助用飲み口部材を備えることもできる。
【００１８】
上記構成を採れば、上記携帯飲料容器をさらに複数の使用者で抵抗感なく共有できる。
【００１９】
なお、上記補助用飲み口部材を複数個形成した場合は、該補助用飲み口部材をそれぞれ異なる形態で形成してもよい。これにより、各使用者は予め設定しておいた自分の上記補助用飲み口部材を直ぐに認識することができる。
【００２０】
好ましくは、携帯飲料容器は、上記蓋体に、少なくとも１つの上記補助用飲み口部材を収容可能な飲み口部材収容部を形成することができる。
【００２１】
上記構成を採れば、上記補助用飲み口部材を、使用するときだけ飲み口部材収容部から取り出して、上記着脱式飲み口部材に取り付ければよく、不使用時においては、飲み口部材収容部に収納できる。
【発明の効果】
【００２２】
以上のように、この発明によれば、飲み口部の他に着脱式の着脱式飲み口部材を設けているため、飲み口部、或いは着脱式飲み口部材のいずれの飲み口からであっても飲料を飲むことができる。  
このため、携帯飲料容器を抵抗感なく共用することができ、例えば飲料を忘れた人や飲料が足りなくなった人に分け与えることができ、便利である。
【００２３】
さらに、携帯飲料容器は、飲み口部を包囲可能な蓋体を設けた構成であるため、例えば、持ち運びの際に飲み口部を清潔に保つことができる。しかも、飲み口部が突き出した形態であっても、該飲み口部を上記蓋体で隠蔽することができるため、外観上の見栄えを良好にすることができる。
【００２４】
また、着脱式飲み口部材を、飲み口部に対して外周側に嵌合可能に形成すれば、抜き差しするだけで容易に着脱することができるとともに、着脱式飲み口部材の下側の部位を把持することができるため、直に口を付ける部位を把持しないで着脱でき、衛生的である。
【００２５】
上記携帯飲料容器は、上記蓋体に、当接部を有する止水用突起を形成すれば、蓋体を取り付けることにより、止水用突起の当接部を飲み口部の開口縁に当接して止水するので、上記着脱式飲み口部材を飲み口部に取り付けた状態でも、飲み口部から取り外した状態でも、飲料がこぼれることを積極的に防止することができる  
このため、着脱式飲み口部材を紛失した場合でも、飲み口部を有する直飲み式の携帯飲料容器として支障なく使用することができる。
【００２６】
携帯飲料容器は、着脱式飲み口部材と、上記蓋体とを係合・分離する係脱手段を設けた構成を採れば、蓋体の胴部容器に対する着脱に従属させて着脱式飲み口部材を全く把持しなくても、飲み口部に対して着脱することがでるため、さらに衛生的であって、手軽に飲料を飲むことができる。
【００２７】
しかも、このような構成により、着脱式飲み口部材を単独で扱う場合とは異なり、すべり落としたり、紛失したりすることを無くすことができるという効果も有する。
【００２８】
携帯飲料容器に、上記着脱式飲み口部材に対して着脱可能に取り付ける補助用飲み口部材を備えれば、補助用飲み口部材を備えた数に応じて、さらに多くの人と携帯飲料容器を共有することができる。
【００２９】
しかも、携帯飲料容器は、上記蓋体に上記飲み口部材収容部を形成すれば、複数の上記補助用飲み口部材を備えても飲み口部材収容部に収容できるため、補助用飲み口部材が紛失することなく、持ち運びも容易となる。
【発明を実施するための最良の形態】
【００３０】
この発明の一実施形態を、以下図面を用いて説明する。  
図１、図２に示すごとく、本発明の携帯飲料容器１１は、内部に飲料を貯液する胴部容器１２と、上記胴部容器１２の上端に着脱自在に取り付けられる着脱式飲み口部材１３と、該着脱式飲み口部材１３を包囲した状態で上記胴部容器１２に着脱可能に取り付けられる蓋体１４とを備えている。
【００３１】
上記胴部容器１２は、高い断熱性を確保すべくステンレス製の真空二重構造により構成した貯液部１５と、該貯液部１５に携帯飲料容器１１の外観を向上させるために取り付けられる２つの肩部材１６ａ，１６ｂと、上記貯液部１５に取り付けられる飲み口用筒状部材１７とで構成される。
【００３２】
上記貯液部１５は、下部から中部を有底円筒状に形成するとともに（図示せず）、その中部から上部にかけて上方に進むにつれて徐々に細径となる傾斜部１５ａを構成している。そして、上記貯液部１５は、該傾斜部１５ａの上方部位においては、所定の径を維持して形成し、上端には、開口部１５ｂを有している。
【００３３】
さらに、上記開口部１５ｂの内周側縁部には、上記飲み口用筒状部材１７を取り付けるための雌螺子部１５ｃを形成している。
【００３４】
また、上記２つの肩部材１６ａ，１６ｂは、それぞれ合成樹脂で形成し、そのうち一方の肩部材１６ａは、上記貯液部１５における傾斜部１５ａを包囲した状態で貯液部１５に嵌合している。
【００３５】
そして、上記飲み口用筒状部材１７は、合成樹脂製であり、飲料の流路となる上下方向に貫通した貫通孔１７ｂを有する。さらに、断面視すると下側から上側へ順に、貯液部１５に嵌め込まれる第一段部２１、蓋体１４が取り付けられる第二段部２２、上記着脱式飲み口部材１３が取り付けられるとともに、飲料の飲み口となる飲み口部２３を形成している。上記飲み口用筒状部材１７は、上記各部２１，２２，２３が順に小径となる段状をした外周側面を有する円筒状に形成している。
【００３６】
上記第一段部２１は、上記開口部１５ｂに挿入可能な径を有して形成するとともに、第一段部２１の外周面には、上記貯液部１５の雌螺子部１５ｃと螺合する雄螺子部２１ａを形成している。  
また、飲み口用筒状部材１７における第一段部２１の上部外周部には、上記他方の肩部材１６ｂを嵌合して一体にしている。他方の肩部材１６ｂは、上述したように飲み口用筒状部材１７に取り付けたとき、その取り付けた部位から外周方向に広がりながら第一段部２１の下部まで下降した形態をしている。
【００３７】
上記第二段部２２は、その外周面に蓋体１４に取り付けるための雄螺子部２２ａを有している。上記飲み口部２３は、飲み口として使用するため、人が飲み易い口径に形成している。上記飲み口部２３における上下方向の所定部位には、外周面沿いに凹溝部２３ａを形成し、該凹溝部２３ａに環状のシール部材２３ｂを嵌め込んでいる。
【００３８】
さらに、上記第２段部２２と飲み口部２３との境界部位に相当する段状の部位には、着脱式飲み口部材１３を飲み口部２３に取り付けたとき接地可能な接地部１７ａを有している。
【００３９】
そして、上記構成を採る飲み口用筒状部材１７を上記貯液部１５と第一段部２１とにおける上記一対の螺合形成部１５ｃ，２１ａどうしを螺合させながら貯液部１５の開口部１５ｂに着脱可能に嵌め込んでいる。
【００４０】
これにより、携帯飲料容器１１の上部は、肩部材１６ａ，１６ｂにより滑らかな稜線形状に形成することができる。  
上記着脱式飲み口部材１３は、円筒状をした合成樹脂製であり、内周部は上記飲み口部２３の外周部に嵌合可能に形成するとともに、上下方向の下部側は、上部側よりも厚肉に形成し、外周部をせり出している。その上部側を人が飲み口として口をつける飲み口側部１３ａとし、下部側を飲み口部２３に対する着脱の際に、把持する把持側部１３ｂとする。
【００４１】
上記蓋体１４は、合成樹脂で外形形状を鐘形に形成し、その上端部には、胴部容器１２と蓋体１４とを連結するための紐部材（図示せず）を係合する係合部材２４が回転可能に嵌着されている。そして、上記蓋体１４における内壁面の天井面には、上記飲み口用筒状部材１７の第２段部２２における上記雄螺子部２２ａに螺合可能な雌螺子部２５ａを内周側に有した蓋体取り付け部２５を垂設している。
【００４２】
そして、内壁面の天井面における蓋体取り付け部２５よりもさらに内周側には、上記飲み口部２３の上端部に当接するよう突き出した当接部２６ａを先端に有した止水用突起２６を形成している。なお、上記当接部２６ａには、先端部にシール部材を取り付けて止水性能を向上させている。  
本実施形態における携帯飲料容器１１は、上述のように構成するものとして、以下、作用・効果を説明する。
【００４３】
上記携帯飲料容器１１を使用する２人の使用者Ａ、Ｂが胴部容器１２内に貯液された飲料（図示せず）を飲む際の手順について説明する。まず、一方の使用者Ａは、蓋体１４を胴部容器１２に対して回転させながら上記一対の螺合形成部２２ａ，２５ａの螺合を解除することで胴部容器１２から取り外す。  
これにより、一方の使用者Ａは、図３（ａ）に示したように胴部容器１２を傾けながら着脱式飲み口部材１３の飲み口側部１３ａに口をつけて飲料を飲むことができる。
【００４４】
さらに、他方の使用者Ｂが飲料を飲む場合は、通常、一方の使用者Ａと同じ着脱式飲み口部材１３に口をつけて飲料を飲むことは抵抗感があるため、着脱式飲み口部材１３の把持側部１３ｂを把持しながら引っ張り上げることで、飲み口部２３から着脱式飲み口部材１３を抜き取る。  
これにより、他方の使用者Ｂは、図３（ｂ）に示したように一方の使用者Ａと異なる飲み口となる飲み口部２３に口をつけて抵抗感なく飲料を飲むことができる。
【００４５】
このように、上記着脱式飲み口部材１３の把持側部１３ｂを把持して飲み口部２３に対して着脱すれば、上記着脱式飲み口部材１３の飲み口側部１３ａに直接、接触することがない。  
よって、上記着脱式飲み口部材１３の飲み口側部１３ａを清潔に保つことができるため、再度、着脱式飲み口部材１３を飲み口部２３に取り付けたときも飲み口側部１３ａに抵抗感なく口をつけることができる。
【００４６】
また、上記着脱式飲み口部材１３を飲み口部２３に対する再度、取り付ける場合は、把持側部１３ｂを把持して飲み口側部１３ａが上側に位置するように、飲み口部２３に差し込むだけで容易に取り付けることができる。  
このとき、上述したように把持側部１３ｂは飲み口側部１３ａによりも厚肉に形成しているため、一見して把持側部１３ｂと飲み口側部１３ａとを区別できる。よって、飲み口部２３に取り付ける際に飲み口側部１３ａと把持側部１３ｂとを逆向きに取り付けてしまうことがない。
【００４７】
また、上記着脱式飲み口部材１３の内周面が飲み口部２３外周面に取り付けたシート部材２３ｂに当接するため、携帯飲料容器１１を傾けたときも上記着脱式飲み口部材１３が飲み口部２３から抜け落ちてしまうことがない。
【００４８】
飲料を飲み終わった後は、携帯飲料容器１１は、再度、胴部容器１２に蓋体１４を取り付けておく。これにより、上記着脱式飲み口部材１３を飲み口部２３に対して取り付けている場合（図１参照）、或いは飲み口部２３に対して取り外した場合のいずれにおいても、上記止水用突起２６を飲み口部２３の上端部に当接させた状態とすることができる。  
よって、上記いずれの場合であっても、完全に胴部容器１２内の飲料を止水した状態で蓋体１４を胴部容器１２に取り付けることができる。
【００４９】
以下では、他の実施形態に係る携帯飲料容器２７、２９について説明する。  
なお、以下で説明する実施形態における携帯飲料容器２７、２９では、前述した実施形態における携帯飲料容器１１と同様の構成については同一の符号を付してその説明を省略する。
【００５０】
第２実施形態に係る携帯飲料容器２７では、図４（ａ）、（ｂ）に示したように蓋体２８を例えば透明色の合成樹脂で形成している。これにより、使用者は、蓋体２８を取り付けた状態からでも飲み口部２３に対して着脱式飲み口部材１３を取り付けた状態であるか（図４（ａ））、或いは取り外した状態であるか（図４（ｂ））を、一見して認知することができる。  
次に、他の実施形態として、第３実施形態に係る携帯飲料容器２９について説明する。
【００５１】
上述までの実施形態を採る携帯飲料容器１１、２７では、上記飲み口用筒状部材１７の第二段部２２に形成した雄螺子部２２ａを平面視右回転で螺進する螺旋形状（以下、右回りの螺旋形状という）で形成しているが（図２、図４参照）、本実施形態の携帯飲料容器２９では、図５、図６に示したように第二段部３２における雄螺子部３２ａを平面視左回転で螺進する螺旋形状（以下、左回りの螺旋形状という）で形成する。
【００５２】
さらに、上記第二段部３２の外周を包囲可能な内径を有した環状部材３３を設ける。該環状部材３３は、その外周面に雄螺子部３３ｂを形成するが、該雄螺子部３３ｂは、右回りの螺旋形状で形成している。
【００５３】
上記環状部材３３は、その内周面にも、第二段部３２に形成した雄螺子部３２ａと螺合するように雌螺子部３３ａを左回りの螺旋形状で形成している（図８参照）。
【００５４】
そして、上記着脱式飲み口部材３４にも飲み口側部３５の外周面に、雄螺子部３５ａを右回りの螺旋形状で形成している。
【００５５】
一方、蓋体３６には、上記蓋体取り付け部２５を形成せず、蓋体３６内周部における天井側に上記着脱式飲み口部材３４の雄螺子部３５ａと螺合する雌螺子部３６ａを右回りの螺旋形状で形成する。さらに、蓋体３６内周部における下部に、上記環状部材３３の雄螺子部３３ｂと螺合する雌螺子部３６ｂを右回りの螺旋形状で形成している。
【００５６】
上記構成をとれば、蓋体３６を胴部容器１２に対して左回りに回転させると、図７に示したように、蓋体３６のみを胴部容器１２から取り外すことができる。  
このとき、着脱式飲み口部材３４、及び環状部材３３は、胴部容器１２に取り付いたままである。
【００５７】
これは、蓋体３６を、着脱式飲み口部材３４、及び環状部材３３から取り外す方向に回転させる。  
それと同時に、蓋体３６を、環状部材３３を胴部容器１２に対して閉める方向に、回転させるからである。
【００５８】
具体的には、蓋体３６を胴部容器１２に対して左回りに回転させると、環状部材３３の外周面の雄螺子部３３ｂと蓋体３６の雌螺子部３６ｂとの螺合が解除する方向に蓋体３６を回転させる。  
そして、蓋体３６を、着脱式飲み口部材３４の雄螺子部３５ａと蓋体３６の雌螺子部３６ａの螺合を解除する方向に回転させる。
【００５９】
反対に、蓋体３６を、環状部材３３の内周面の雌螺子部３３ａと上記第二段部３２の雄螺子部３２ａの螺合を強固にする方向に回転させているからである。
【００６０】
これに対して、蓋体３６を胴部容器１２に対して上述とは逆回転の右回りに回転させると、図８に示したように、蓋体３６に着脱式飲み口部材３４、及び環状部材３３が取り付いた状態で蓋体３６を胴部容器１２から取り外すことができる。
【００６１】
これは、蓋体３６を、環状部材３３を胴部容器１２から取り外す方向に、回転させる。
【００６２】
それと同時に、蓋体３６を胴部容器１２に対して右回りに回転させると、着脱式飲み口部材３４を飲み口部２３に対して摺動させながら抜き取ることができるからである。  
具体的には、環状部材３３の内周面の雌螺子部３３ａと上記第２段部３２の雄螺子部３２ａとの螺合も解除する方向に蓋体３６を回転させる。  
反対に、蓋体３６を、環状部材３３の外周面の雄螺子部３３ｂと蓋体３６の雌螺子部３６ｂとの螺合を強固にする方向に回転させる。  
そして、蓋体３６は、着脱式飲み口部材３４の雄螺子部３５ａと蓋体３６の雌螺子部３６ａとの螺合を強固にする方向に回転させるからである。
【００６３】
つまり、上述のように、蓋体３６を右回り、或いは左回りに回転させるかによって、使用者は着脱式飲み口部材３４を蓋体３６の着脱に従属して着脱するか否かを選択することができる。すなわち、飲み口を着脱式飲み口部材３４とするか、或いは飲み口部２３とするかを任意に選択することができる。
【００６４】
これにより、上述するように把持側部１３ｂを把持して着脱式飲み口部材１３を着脱しなくても、胴部容器１２に対する蓋体３６の着脱に従属させて着脱式飲み口部材３４を飲み口部２３に対して着脱することができるため、さらに手軽に飲料を飲むことができる。
【００６５】
しかも、着脱式飲み口部材３４は全く把持することなく着脱できるため、衛生的である。
【００６６】
加えて、着脱式飲み口部材３４を飲み口部２３に対して取り外したとき、蓋体３６と一体に取り付いた状態とすることができるため、着脱式飲み口部材３４を単独で扱う場合と異なりすべり落としてしまうことがないようにすることができるという効果も有する。
【００６７】
さらに、第４実施形態に係る他の携帯飲料容器５０として、図９に示したごとく、上記着脱式飲み口部材３４と環状部材３３とを一体に構成するとともに、蓋体５４の着脱に完全に従属させて着脱可能に構成した従属式飲み口部材５１を採用するとよい。
【００６８】
上記従属式飲み口部材５１の具体的な構成は、上記着脱式飲み口部材３４と環状部材３３とを上下方向で連設した形態であって、その連設部位が断面視すると段状の形態となる一部材で形成する。
【００６９】
上記従属式飲み口部材５１の下側に位置し、上記環状部材３３に対応する部位を螺合形成側部５２とし、上記従属式飲み口部材５１の上側に位置し、上記着脱式飲み口部材３４に対応する部位を従属式飲み口側部５３とする。
【００７０】
上記螺合形成側部５２の内周面には上記環状部材３３の内周面の雌螺子部３３ａ（図８参照）と同じ螺旋形状の雌螺子部５２ａを形成し、上記螺合形成側部５２の外周面には、上記環状部材３３の外周面の雄螺子部３３ｂ（図６参照）と同じ螺旋形状の雄螺子部５２ｂを形成している。
【００７１】
また、従属式飲み口側部５３における内周面、及び外周面には、雌螺子部、雄螺子部などを形成していない。
【００７２】
そして、蓋体５４には、その内周下部に上記蓋体３６における雌螺子部３６ｂ（図６参照）と同じ螺旋形状である上記雌螺子部５４ｂのみを形成している。
【００７３】
上記構成を採れば、例えば、図１０に示したように上記従属式飲み口部材５１を上記蓋体５４の着脱に従属して着脱することができる。
【００７４】
このように、上記携帯飲料容器５０は、上述した携帯飲料容器２９と同様の効果を得ることができるが、特筆すべきは、上記環状部材３３に対応する上記螺合形成側部５２と、上記着脱式飲み口部材３４に対応する従属式飲み口側部５３とを一体のまま、胴部容器１２に対して着脱することができることである。このため、従属式飲み口側部５３には、雌螺子部や雄螺旋部を形成する必要がなくなる。これに伴って、蓋体５４内周部にも螺旋部５４ｂを下側の１部位に形成すれば第３実施形態の携帯飲料容器２９と同様の機能を実現することができる。
【００７５】
すなわち、直に口をつけることとなる従属式飲み口側部５３に雄螺子部などを形成する必要がないため、口をつけたときの感触が向上し、飲料が飲み易くなる。さらに、携帯飲料容器５０全体の部品点数を減らすことができるとともに、構成も簡素化することができるという効果を得ることができる。
【００７６】
また、携帯飲料容器は、例えば、蓋体１４に着脱式飲み口部材１３を保持可能な保持部や、該保持部をバネなどの弾性力を利用して稼動させるスイッチ部などを設けた構成としてもよい。上記構成により、蓋体を胴部容器から取り外す際に、上記スイッチ部を操作させて、着脱式飲み口部材１３を上記保持部に保持させた状態で飲み口部から取り外すことができる。  
このように、携帯飲料容器は、上記着脱式飲み口部材を上記蓋体の着脱に従属して着脱可能な構成でれば上述した構成に限定されない。
【００７７】
さらに、他の実施形態として、第５実施形態に係る携帯飲料容器について説明する。携帯飲料容器には、上記着脱式飲み口部材１３、３４に対して内側に嵌合可能な円筒状をした補助用飲み口部材を備えることができる。上記補助用飲み口部材は、１つに限らず、複数個設けてもよい。  
このように、着脱式飲み口部材１３を複数個設けた場合は、図１１、図１２に示したようにそれらを収容する飲み口部材収容部４０を蓋体３９に形成するとよい。
【００７８】
具体的には、上記補助用飲み口部材３８を例えば６つ設けた場合の携帯飲料容器３７について説明する。なお、蓋体３９の構成は、着脱式飲み口部材を蓋体の着脱に従属させずに、単独で着脱する前述した形態の蓋体１４をもとにして説明する。
【００７９】
すなわち、蓋体３９は、その胴部容器１２の外径と略同径となるよう、その外径を周方向に膨出させて形成している。そして、上記蓋体３９を膨出させた内部には、図１３の蓋体３９の底面図に示したように、蓋体３９内部における外周側には、環状の飲み口部材収容部４０を設けている。該飲み口部材収容部４０を周方向に略６等分割する各部位には、リブ体４０ａ…を放射状に形成し、飲み口部材収容部４０における該各リブ体４０ａ…間には、補助用飲み口部３８…を収納可能に形成している。
【００８０】
飲み口部材収容部４０における内周面４０ｃ、外周面４０ｄには、収納した上記補助用飲み口部材３８を両側から挟持すべく、それぞれ２つずつの突起部４０ｂ…を形成している。
【００８１】
また、胴部容器１２の上側に位置する肩部材４１も、上記蓋体３９と同様に胴部容器１２の外径と略同径に形成している（図１１、図１２参照）。  
以上により、６つの補助用飲み口部材３８…、着脱式飲み口部材１３、及び飲み口部２３とを有するため、最高で８人が本実施形態を採る携帯飲料容器３７を兼用することができる。  
また、上記飲み口部材収容部４０を設けて、該飲み口部材収容部４０内に補助用飲み口部材３８…を収納するので、持ち運びの際に、邪魔になることがない。  
しかも、補助用飲み口部材３８を飲み口部２３に取り付けていないとき、紛失してしまうことを防止することができる。
【００８２】
また、上記補助用飲み口部材３８…は、それぞれ異なる色、模様、番号など付して形成してもよい。この構成を採れば、すぐに自分の補助用飲み口部材３８を間違えることなく特定することができる。
【００８３】
さらに、上記飲み口部材収容部４０における補助用飲み口部材３８を収納する各部位にも、例えば補助用飲み口部材３８に付した番号に対応するように番号などを付してもよい。
【００８４】
上述したように、この発明は、上述の実施形態の構成のみに限定されるものではなく、多くの実施の形態を得ることができる。
【図面の簡単な説明】
【００８５】
【図１】携帯飲料容器の要部の断面図。
【図２】携帯飲料容器の要部を分解した片側断面図。
【図３】携帯飲料容器の作用状態の説明図。
【図４】第２実施形態に係る携帯飲料容器の要部の側面図。
【図５】第３実施形態に係る携帯飲料容器の要部の断面図。
【図６】第３実施形態に係る携帯飲料容器の要部を分解した一部破断側面図。
【図７】第３実施形態に係る携帯飲料容器の作用状態の説明図。
【図８】第３実施形態に係る携帯飲料容器の作用状態の説明図。
【図９】第４実施形態に係る携帯飲料容器の要部を分解した一部破断側面図。
【図１０】第４実施形態に係る携帯飲料容器の作用状態の説明図。
【図１１】第５実施形態に係る携帯飲料容器の要部の片側断面図。
【図１２】第５実施形態に係る携帯飲料容器の要部を分解した片側断面図。
【図１３】第５実施形態に係る携帯飲料容器の蓋体の底面図。
【符号の説明】
【００８６】
１１，２７，２９，３７、５０…携帯飲料容器
１３，３４、５４…着脱式飲み口部材
１４，２８，３９…蓋体
２３…飲み口部
２６…止水用突起
２６ａ…当接部
３８…補助用飲み口部材
４０…飲み口部材収容部
５１…従属式飲み口側部材
【図１】
2005239178.tif 000003
【図２】
2005239178.tif 000004
【図３】
2005239178.tif 000005
【図４】
2005239178.tif 000006
【図５】
2005239178.tif 000007
【図６】
2005239178.tif 000008
【図７】
2005239178.tif 000009
【図８】
2005239178.tif 000010
【図９】
2005239178.tif 000011
【図１０】
2005239178.tif 000012
【図１１】
2005239178.tif 000013
【図１２】
2005239178.tif 000014
【図１３】
2005239178.tif 000015